(57)【要約】【課題】いわゆるヤエン釣りに用いられるイカ釣り具において、イカが掛かった際に外れ難い構造のイカ釣り具を提供する。【解決手段】本発明のイカ釣り具１０は、軸部１１と、軸部１１の前端側に放射状に設けた複数の釣り針１２と、軸部１１の上方に設けた釣糸係止部２０とを有する。複数の釣り針１２のうち、最も上方に向けて設けた釣り針１３の針先１３ａを、他の方向に向けて設けた釣り針１４，１５，１６の針先１４ａ，１５ａ，１６ａよりも径方向外側で、かつ、軸部１１の後端側に突出させたことを特徴とする。【選択図】図６
2010045991.tif 000002
【特許請求の範囲】
【請求項１】
軸部と、前記軸部の前端側に放射状に設けた複数の釣り針と、前記軸部の上方に設けた釣糸係止部と、を有するイカ釣り具において、
前記複数の釣り針のうち、最も上方に向けて設けた釣り針の針先を、他の方向に向けて設けた釣り針の針先よりも径方向外側で、かつ、前記軸部の後端側に突出させたことを特徴とするイカ釣り具。
【請求項２】
前記最も上方に向けて設けた釣り針は、他の方向に向けて設けた釣り針よりも太径に形成されていることを特徴とする請求項１に記載のイカ釣り具。
【請求項３】
前記最も上方に向けて設けた釣り針は、鉛直方向に対して所定角度傾いた状態となるように前記軸部に設けられていることを特徴とする請求項１又は２に記載のイカ釣り具。
【発明の詳細な説明】
【技術分野】
【０００１】
本発明は、イカ釣りに用いられるイカ釣り具に関する。
【背景技術】
【０００２】
従来、イカ釣りには、様々な釣法が知られており、その一つに「ヤエン釣り」と称されるものがある。このヤエン釣りは、例えば、磯、防波堤からアオリイカを釣るときに、専用の仕掛け（イカ釣り具）を用いて行われる。以下、このヤエン釣りの方法、及びそれに用いられるイカ釣り具について、図１及び図２を参照して説明する。
【０００３】
最初、釣竿１に装着されたリール３から繰り出される釣糸Ｓの先端に、アジのような生餌５を取着しておく（生餌５と釣糸Ｓの取着方法は任意であり、例えば、鼻環や鉤針を介して取着しておいても良い）。そして、このように生餌５を取着した状態で、リール３を釣糸放出状態とし、生餌５を泳がせながら所定のポイントに送り込み、イカのアタリを待つ（図１参照）。
【０００４】
この状態で、イカが生餌５に抱きつくと、掛かった状態が釣糸Ｓを通じて竿先に伝わるため、これを感知した釣人は、釣糸Ｓを手繰り寄せて、イカ釣り具１０を釣糸Ｓに装着する。そして、イカ釣り具１０を、図２に示すようにイカのところまで送り込み、その先端部分に設けられた釣り針をイカに引っ掛け、リール３を巻き取り操作することで、イカを釣ることができる。
【０００５】
上記のようなヤエン釣りに用いられるイカ釣り具は、例えば、特許文献１に開示されているような構成となっており、基本的に、棒状の軸部と、この軸部に設けられて釣糸を挿通させるガイド部（釣糸係止部）と、前記軸部の先端側に形成された複数の釣り針とを備えて構成されている。
【特許文献１】特開２００２−５１６７６号
【発明の開示】
【発明が解決しようとする課題】
【０００６】
一般的に、ヤエン釣りに用いられるイカ釣り具は、上記した特許文献１に開示されているように、生餌に掛かったイカを引っ掛けるために、軸部の先端側に、碇状の釣り針を周方向に沿って複数本形成した構成となっている。すなわち、軸方向に延出して略１８０°湾曲した碇状の釣り針を、周方向に亘って放射状に配した構成となっている。
【０００７】
ところが、上記したような碇状の複数の釣り針は、全てが同一の構成となっているため、イカを引っ掛けても、イカが軸方向の後端側（釣り人の手前側）に移動することで全ての釣り針からいっせいに外れてしまい、いわゆるバラしてしまう可能性がある。
【０００８】
本発明は、上記した問題に着目してなされたものであり、いわゆるヤエン釣りに用いられるイカ釣り具において、イカが掛かった際に外れ難い構造のイカ釣り具を提供することを目的とする。
【課題を解決するための手段】
【０００９】
上記した目的を達成するために、本発明は、軸部と、前記軸部の前端側に放射状に設けた複数の釣り針と、前記軸部の上方に設けた釣糸係止部と、を有するイカ釣り具において、前記複数の釣り針のうち、最も上方に向けて設けた釣り針の針先を、他の方向に向けて設けた釣り針の針先よりも径方向外側で、かつ、前記軸部の後端側に突出させたことを特徴とする。
【００１０】
上記した構成のイカ釣り具は、上述したような釣法（いわゆるヤエン釣り）に用いられる。このような釣法において、実際にイカが生餌に掛かった状態でイカ釣り具を釣糸に沿って送り込むと、軸部の前端側に設けた複数の釣り針にイカを引っ掛けることが可能となる。そして、イカが複数の釣り針に掛かると、その内の最も上方に向けて設けた釣り針の針先が、他の方向に向けて設けた釣り針の針先よりも径方向外側で、かつ、前記軸部の後端側に突出していることから、イカが暴れても外れ難くなる。すなわち、複数の釣り針は、放射状に同一の形状になってないことから、イカが暴れても、一気に外れてしまう可能性が少なくなる。
【発明の効果】
【００１１】
本発明によれば、いわゆるヤエン釣りに用いられるイカ釣り具において、イカが掛かった際に外れ難い構造のイカ釣り具が提供される。
【発明を実施するための最良の形態】
【００１２】
以下、図面を参照しながら本発明に係るイカ釣り具について具体的に説明する。
【００１３】
なお、以下に説明するイカ釣り具は、上述したように、図１及び図２を参照して説明した、いわゆるヤエン釣りに用いられるものである。図３から図６は、図１及び図２に示したヤエン釣りに用いられるイカ釣り具の第１の実施形態を示す図であり、図３は、その側面図、図４は、図３に示すイカ釣り具の斜視図、図５は、前端部に設けられる複数の釣り針を軸方向前端側から見た図、そして、図６は、図５に示す複数の釣り針の側面図である。
【００１４】
本実施形態におけるイカ釣り具１０は、棒状に構成された軸部１１と、軸部１１の前端側に放射状に設けた複数の釣り針１２と、軸部１１の上方側に設けた釣糸係止部２０と、を備えている、いわゆるヤエンと呼ばれているものである。
【００１５】
なお、ここで前端側とは、図２に示すように、イカ釣り具１０を、釣糸係止部を介して釣糸Ｓに装着した際、生餌側となる方向を意味する。また、上方とは、イカ釣り具１０を、釣糸係止部２０を介して釣糸Ｓに装着した際、軸部１１に対して釣糸Ｓが位置する方向を意味する。このため、最も上方に向けて設けた釣り針とは、イカ釣り具１０を、釣糸係止部２０を介して釣糸Ｓに装着してぶら下げた際、放射状に設けた複数の釣り針１２のうちで最も釣糸Ｓに近い方向に突出する釣り針を意味する。
【００１６】
前記軸部１１は、例えば、ステンレスやチタン系合金等の金属材料によって形成されており、その上方には、前記釣糸係止部２０が設けられている。釣糸係止部２０は、軸部１１の略中央から、後方側に向けて、所定間隔おいて複数個（本実施形態では３箇所）設けられており、軸部１１に対して垂直上方（一点鎖線Ｑ方向）に向けて突設された支柱２０ａと、釣糸が挿通されるガイド部２０ｂとを備えている。
【００１７】
この場合、釣糸係止部２０は、軸部１１と共に一体形成されており、そのガイド部２０ｂには、釣糸Ｓを挿通させて引っ掛けられるように、挿入部２０ｃが形成されている。すなわち、ガイド部２０ｂは閉じたリング形状ではなく、一部の領域（挿入部２０ｃ）が開口しており、この部分から釣糸Ｓを挿入できるように構成されている。
【００１８】
前記複数の釣り針１２は、本実施形態では、軸部１１の前端側において、軸部１１の長手方向に所定間隔をおいて３箇所設けられている。夫々の複数の釣り針１２は、軸部１１に対して一体的に形成されていても良いし、複数の釣り針１２を予め別体として形成しておき、これを軸部１１に対して接着や溶着したり、或いは、嵌入、固定する構成であっても良い。
【００１９】
図５及び図６は、軸部１１の先端側に３箇所設けられている複数の釣り針１２の内の一つ（軸部１１の先端に嵌入されているもの）を示している。これらの図に示すように、複数の釣り針１２は、軸部１１に嵌入されて軸部１１と一体化される基部１１Ａに対して、周方向に沿って放射状に突設され、それぞれの針先１３ａ，１４ａ，１５ａ，１６ａが後端側に向くように配された４つの釣り針１３，１４，１５，１６を備えている。この場合、各釣り針１３〜１６は、周方向３６０°に亘って放射状に配されるのではなく、水平面Ｐよりも上方側に設置されており、これら上方側に向けて設けた釣り針のうち、最も上方（係止した釣糸Ｓの方向）に向かって突出するその一つの釣り針１３については、その針先１３ａが、他の方向に向けて設けた釣り針１４，１５，１６の針先１４ａ，１５ａ，１６ａよりも径方向外側（図５参照）に位置し、かつ、針先１４ａ，１５ａ，１６ａよりも軸部１１の後端側に突出（図６参照）するように構成されている。
【００２０】
すなわち、釣り針１３については、他の釣り針１４，１５，１６よりも、軸部１１からその後端側に向かう湾曲の曲率を小さくすると共に、針先１３ａの長さを長くしており、他の釣り針１４，１５，１６に対して一回り大きい構成となっている。このような大きな釣り針１３は、後述するように、イカ釣り具１０を釣糸Ｓに沿って投入した際、生餌を捕食しているイカを掛かり易くすると共に、バラし難くするためのものであり、針先１３ａには、更に、掛かったイカが外れ難いように、返し１３ｂを形成しておくことが好ましい。
【００２１】
また、上記した釣り針１３については、他の釣り針１４，１５，１６と同じ太さ（同径）であっても良いが、図５に示すように、他の釣り針１４，１５，１６よりも太径に形成しておくことが好ましい。
【００２２】
さらに、釣り針１３については、上記したように、軸部１１（基部１１Ａ）に対して上方に向けて設けられているが、図５に示すように、鉛直方向の一点鎖線Ｑ（この鉛直方向は、釣糸係止部２０に釣糸Ｓを挿通させた状態で釣糸Ｓが配された上方であって、釣糸係止部２０の支柱２０ａと一致する方向となる）に対して所定角度θ、傾いた状態となるように軸部１１（基部１１Ａ）に設けられていることが好ましい。すなわち、釣り針１３は、鉛直方向に沿うように軸部１１（基部１１Ａ）に設けられていても良いが、多少、周方向に傾いた状態で設けておくことが好ましい。
【００２３】
以上のように構成されるイカ釣り具１０の使用方法、及び作用効果について説明する。
【００２４】
図１に示すように、釣竿１に装着されたリール３から繰り出される釣糸Ｓの先端に、アジのような生餌５を取着した状態で、リール３を釣糸放出状態とし、生餌５を泳がせながら所定のポイントに送り込み、イカのアタリを待つ。
【００２５】
この状態で、イカが生餌５に抱きつくと、掛かった状態が釣糸Ｓを通じて竿先に伝わることから、これを感知した釣人は、釣糸Ｓを手繰り寄せて、イカ釣り具１０を釣糸Ｓに装着する。釣糸Ｓに対するイカ釣り具１０の装着は、図５に示すガイド部２０ｂに形成されている挿入部２０ｃを釣糸Ｓに押し込んで、釣糸Ｓをガイド部２０ｂに挿通させて、イカ釣り具１０が釣糸Ｓに沿って移動するように遊嵌することで成される。
【００２６】
そして、イカ釣り具１０を、図２に示すように、生餌５に抱きついているイカのところまで釣糸Ｓに沿ってスライドさせて送り込み、竿操作及びリール操作によって、イカを複数の釣り針１２に掛ける。
【００２７】
この際、最も上方に向けて設けた釣り針１３が初めにイカに掛かってこれをきっかけに他の釣り針１４，１５，１６が掛かる。イカが複数の釣り針１２に掛かって異物を察知して逃げようとしても、その内の最も上方に向けて設けた釣り針１３の針先１３ａが、他の方向に向けて設けた釣り針１４，１５，１６の針先１４ａ，１５ａ，１６ａよりも径方向外側で、かつ、軸部１１の後端側に突出していることから、イカが暴れても外れ難くなる。すなわち、これらの複数の釣り針１２は、公知技術のように、放射状に同一の形状になってないことから、イカが暴れたとしても、一気に外れてしまう可能性が少なくなり（大きい釣り針１３に掛かり易い）、バラしてしまう可能性を低減することが可能となる。
【００２８】
また、本実施形態では、複数の釣り針のうち、釣り針１３については、他の釣り針１４，１５，１６よりも太径に形成してあるため、最終的にイカが釣り針１３のみに引っ掛かった状態になっても、折れたり破損することなく、バラしてしまう可能性を低減することが可能となる。
【００２９】
さらに、イカは、複数の釣り針１２に掛かると、その習性として回転しようとするが、上記したように、釣り針１３は、鉛直方向に対して所定角度θだけ傾斜して設けられているため、イカが回転した際、より釣り針１３に引っ掛かって外れ難くすることが可能となる。この場合、釣り針１３の鉛直方向に対する傾斜角度θについては、他の釣り針１４との関係にもよるが、５°〜４５°の範囲に設定しておくことで、回転するイカを引っ掛け易く、バラし難くすることが可能となる。
【００３０】
なお、経験上、イカは、イカ釣り具１０を軸方向前端側から見て、右方向に回転するため、図５のように、針先が最も径方向外側で最も後端側に突出させた釣り針１３を、鉛直方向よりも左方向に傾けて設けることが好ましい。
【００３１】
また、本実施形態では、複数の釣り針１２については、いずれの釣り針１３〜１６も水平面Ｐに対して上方側に配設していることから、イカ釣り具１０を、釣糸Ｓに沿って落とし込んで行く際、根掛かりする可能性が低くなり、最終的に、イカが掛かっている位置までスムーズに送り込むことが可能となる。
【００３２】
図７及び図８は、本発明のイカ釣り具の第２の実施形態を示す図であり、図７は、前端部に設けられる複数の釣り針を軸方向から見た図、そして、図８は、図７に示す複数の釣り針の側面図である。
【００３３】
本実施形態では、上記した実施形態と同様の大きい釣り針１３を、上方に向けて２つ設けており、各釣り針１３は、鉛直方向（一点鎖線Ｑ）に対して、同じ傾斜角度θで反対方向に傾斜するように一対設けている。
【００３４】
このように、大きい釣り針１３を、複数個、設けておくことで、よりバラし難くすることが可能となり、かつ、イカが、いずれの方向に回転しても、引っ掛け易くすることが可能となる。
【００３５】
以上、本発明の実施形態について説明したが、本発明は、上記した実施形態に限定されることはなく、種々変形することが可能である。
【００３６】
例えば、上記した複数の釣り針１２については、碇状の釣り針を３６０°に亘って放射状に配しても良い。この場合、上向きになっている釣り針について、上述したように、他の釣り針に対して大きく形成しておけば良い。すなわち、複数の釣り針１２については、それぞれの釣り針の配置態様や個数について、適宜変形することが可能である。従って、図５及び図６に示した釣り針１４，１５，１６については、夫々大きさが異なる構成であっても良い。また、大きい釣り針１３は、鉛直方向に突出するように形成しても良い。また、軸部１１に設置される複数の釣り針１２の設置個数についても、本実施形態のように３箇所に限定されることはなく、適宜変形することが可能である。
【００３７】
さらに、釣糸係止部２０の設置個数や、その構成についても、適宜変形することが可能である。例えば、釣糸係止部２０は、軸部１１とは別部材のものを一体化した構成であっても良い。
【図面の簡単な説明】
【００３８】
【図１】ヤエン釣りを説明する図（その１）。
【図２】ヤエン釣りを説明する図（その２）。
【図３】本発明に係るイカ釣り具の一実施形態を説明する側面図。
【図４】図３に示すイカ釣り具の斜視図。
【図５】前端部に設けられる複数の釣り針を軸方向前端側から見た図。
【図６】図５に示す複数の釣り針の側面図。
【図７】イカ釣り具の第２の実施形態を示す図であり、前端部に設けられる複数の釣り針を軸方向から見た図。
【図８】図７に示す複数の釣り針の側面図。
【符号の説明】
【００３９】
１  釣竿
３  リール
５  生餌
１０  イカ釣り具
１２  複数の釣り針
１３〜１６  釣り針
１３ａ，１４ａ，１５ａ，１６ａ  針先
２０  釣糸係止部
Ｓ  釣糸
【図１】
2010045991.tif 000003
【図２】
2010045991.tif 000004
【図３】
2010045991.tif 000005
【図４】
2010045991.tif 000006
【図５】
2010045991.tif 000007
【図６】
2010045991.tif 000008
【図７】
2010045991.tif 000009
【図８】
2010045991.tif 000010